(57)【要約】【課題】カードＮがフォルダーＦ等からの脱落、紛失することを防止し、カバー体の裁断作業、溶着作業等を不要とした、カードＮを簡便に挟着可能なフォルダーＦを提供する。【解決手段】ポリプロピレン等を素材とする１枚のシートからなる、フォルダーＦの表面シート１の下方部に、中心線Ｃ−Ｃを境目として、同寸巾の部位に上下又は左右対称的に直線と円形曲線からなる二本の切込線１ａ、１ｂと、中心線Ｃ−Ｃを跨いで半円形状に形成された一本の切込線１ｃとからなり、各切込線１ａ、１ｂ及び１ｃの終端部にはストッパー兼切れ止め用抜穴１ｈが穿設されている。【選択図】図１
0003126747.tif 000002
【実用新案登録請求の範囲】
【請求項１】
名刺又は名刺判サイズ各種カードの三辺を挟着するための切込線を形成した、軟質合成樹脂製のフォルダーであって、
フォルダー表裏面シートの適宜部位に、中心線を境目として同寸巾の部位に上下又は左右対称的に直線と円形曲線からなる二本の切込線と、
前記直線と円形曲線からなる二本の切込線に対向し、中心線を跨いで半円形状に形成された一本の切込線とからなり、
各切込線の終端部には、ストッパー兼切れ止め用抜穴が穿設されていることを特徴とする、カード類挟着可能なフォルダー。
【請求項２】
前記直線と円形曲線からなる二本の切込線における直線間が、約２４．５ｍｍ〜２５．５ｍｍで、円形曲線間の最大巾寸法が、約５４．５ｍｍ〜５５．５ｍｍとしていることを特徴とする、請求項１記載のカード類挟着可能なフォルダー。
【請求項３】
前記半円形状に形成された一本の切込線の半径寸法が、約１２ｍｍ〜１３ｍｍとしていることを特徴とする、請求項１〜請求項２の何れかに記載のカード類挟着可能なフォルダー。
【請求項４】
前記ストッパー兼切れ止め用抜穴の直径寸法が、約１．５ｍｍ〜２ｍｍとしていることを特徴とする、請求項１〜請求項３の何れかに記載のカード類挟着可能なフォルダー。
【考案の詳細な説明】
【技術分野】
【０００１】  本考案は、書類等の分類、整理等に使用される、カード類挟着可能なフォルダーに係り、より詳しくは、フォルダー内に収納される書類に関連する、名刺又は名刺判サイズの各種カード類の三辺を挟着するための切込線を形成した、カード類挟着可能なフォルダーに関する。
【背景技術】
【０００２】  近年、ＩＴ機器等の発達と普及に伴い、ペーパレス時代の到来と喧伝されてはいるが、企業、行政、金融、医療、教育等の諸機関における各種書面類の処理、保管等は、その利便性により、従来と同様にフォルダー、ファイル等も多いに活用されている。上記の諸機関においては、インデックス機能を有する、各種ＩＤカード類による処理、収納、保管等が行われ、フォルダー、ファイル等内に挟持又は収納された書類に関連する、名刺又は名刺判サイズ各種カードをフォルダー、ファイル等表裏面シートの適宜部位に、各種カードを収納又は保持するためのスリット又は収納ポケットを形成したフォルダー、ファイル等が提案されている。【０００３】  例えば、特開平１１−５９０４７「カルテファイル」が開示されている。特開平１１−５９０４７の要旨は、折り畳み線を中心にして左右に表紙を設け、２つ折りに折り畳めるようにし、表紙の内面にシートによって上側及び内側又は上側だけを解放し底部を閉じた袋部を設け、該シートにレントゲンフィルム類をシート内に脱落させることなく収納するためのスリットを形成してなり、シートの下部にはスリットを形成しており、診察券等のカード類をスリットからシート内に差し込んで、診察券等のカード類をシート内に脱落させることなく収納することができるようにしてある。【０００４】  また、特開２００４−１８８１５３の「カード用収納体」は、カバー体の左側端部と底部を略Ｌ字状に、右側端部と底部を逆略Ｌ字状にそれぞれ高周波等により溶着して、カード用収納体を形成することを特徴としている。【０００５】  さらに、図５に示すように、２つ折りした表面シート１０１左側の下面部に、矩形状シート１０２の左右辺部１０２ａ、１０２ｂと底辺部１０２ｃを高周波等により溶着１０３し頂部を開口１０５した、名刺等各種カード類の収納ポケット１００ｐを形成したフォルダー１００等も市販製品として販売されている。
【特許文献１】特開平１１−５９０４７号公報
【特許文献２】特開２００４−１８８１５３号公報
【考案の開示】
【考案が解決しようとする課題】
【０００６】  特許文献１の「カルテファイル」によれば、診察券等のカード類は、シートの下部に形成された一本のスリットからシート内に挿入されているので、診察券等カード類の保持は、不安定であり、カルテ等の着脱や携行時にファイルが下向きになったときなどは、診察券等は、スリットから脱落し、紛失の虞がある。【０００７】  また特許文献２の「カード用収納体」は、収納体の挿入されるカードよりやや大とした、略矩形状のカバー体をカルテホルダーの袋部上に載置し、カバー体の左側端部と底部を略Ｌ字状に、右側端部と底部を逆略Ｌ字状にそれぞれ高周波等により溶着してなるので、カバー体の裁断作業、高周波等による溶着作業等、少なくとも２工程が増すことにより、生産コストを高める欠点がある。さらに、市販製品は収納ポケットを形成するための矩形状シートを必要とすると共に、半円形状の指掛け穴を形成する裁断作業、該表面シートの溶着作業工程が増すので、特許文献２と同様に、生産効率性に問題がある。【０００８】  本考案が解決しようとする課題は、上述の特許文献１、特許文献２及び市販製品が有する、名刺又は名刺判サイズ各種カード類がフォルダー、ファイル等からの脱落、紛失することを防止し、カバー体の裁断作業、溶着作業等を不要とした、カード類を簡便に挟着可能なフォルダーを提供することにある。
【課題を解決するための手段】
【０００９】  本考案者は、従来技術が有する各種の諸問題に鑑み、上記課題を解決するために鋭意検討し、本考案を完成したものである。課題を解決するための手段は、本願、実用新案登録請求の範囲の各請求項に記載の考案であり、その具体的手段は、以下の通りである。【００１０】  課題を解決するための第１の考案は、請求項１に記載の考案であり、名刺又は名刺判サイズ各種カードの三辺を挟着するための切込線を形成した、軟質合成樹脂製のフォルダーであって、フォルダー表裏面シートの適宜部位に、中心線を境目として同寸巾の部位に上下又は左右対称的に直線と円形曲線からなる二本の切込線と、前記直線と円形曲線からなる二本の切込線に対向し、中心線を跨いで半円形状に形成された一本の切込線とからなり、各切込線の終端部には、ストッパー兼切れ止め用抜穴が穿設されていることを特徴としている。【００１１】  課題を解決するための第２の考案は、請求項２に記載の考案であり、前記直線と円形曲線からなる二本の切込線における直線間が、約２４．５ｍｍ〜２５．５ｍｍで、円形曲線間の最大巾寸法が、約５４．５ｍｍ〜５５．５ｍｍとしていることを特徴としている。【００１２】  課題を解決するための第３の考案は、請求項３に記載の考案であり、前記半円形状に形成された一本の切込線の半径寸法が、約１２ｍｍ〜１３ｍｍとしていることを特徴としている。【００１３】課題を解決するための第４の考案は、請求項４に記載の考案であり、前記ストッパー兼切れ止め用抜穴の直径寸法が、約１．５ｍｍ〜２ｍｍとしていることを特徴としている。
【考案の効果】
【００１４】  本考案に係る、カード類挟着可能なフォルダーは、上記の構成になるから以下の効果を奏する。即ち、第１の考案によれば、フォルダー表裏面シートの適宜部位に、中心線を境目として同寸巾の部位に上下又は左右対称的に直線と円形曲線からなる二本の切込線を形成して、名刺等各種カード類の長辺部を挟着し、また前記直線と円形曲線からなる二本の切込線に対向し、中心線を跨いで半円形状に形成された一本の切込線で、短辺の一側を挟着し、名刺等各種カード類の三辺を挟着、固定するので、名刺等は、フォルダー内に安定して保持され、該フォルダーから簡単に脱落することがなく、したがって重要な個人情報等が記載されている、名刺等の紛失を未然に防止することができる。さらに、各切込線の終端部にはストッパー兼切れ止め用抜穴が穿設されているので、該切れ止め用抜穴は、名刺等の隅部を規制するストッパーとなり、またフォルダー内への名刺等の着脱頻度が多くなっても、各切込線の端部が裂けることがなく、フォルダーは繰り返し長期的に使用することができる。【００１５】  第２〜第３の考案によれば、直線と円形曲線からなる二本の切込線における直線間が、約２４．５ｍｍ〜２５．５ｍｍで、円形曲線間の最大巾寸法が、約５４．５ｍｍ〜５５．５ｍｍで、半円形状に形成された一本の切込線の半径寸法が、約１２ｍｍ〜１３ｍｍとしているので、名刺はその標準寸法である５５ｍｍ×９１ｍｍと該名刺と近似寸法のＩＤカード、診察券等は、三本の切込線内で安定的かつ着脱可能に挟着され、名刺等カード類がフォルダー、ファイル等からの脱落、紛失等を防止できる。また三本の切込線は、名刺等カード類に記載される文字等の縦書き又は横書きに対応して、フォルダー、ファイル等の表裏面シートの適宜部位に形成することができ、収納ポケット用のカバー体を製作するための裁断作業や溶着作業等は不要となり、フォルダー、ファイル等のシート裁断作業と同時に三本の切込線を形成することができるので、生産性を向上することができる。【００１６】  第４の考案によれば、切込線のそれぞれの終端部には、約１．５ｍｍ〜２ｍｍのストッパー兼切れ止め用抜穴が切込線と同時に穿設されているので、名刺等の隅部を確実に保持し、かつ名刺等各種カードのフォルダー内への着脱頻度が多くなっても、各切込線の端部が裂けることがない。
【考案を実施するための最良の形態】
【００１７】  以下、本考案のカード類挟着可能なフォルダー（以下、フォルダーＦという）に係る、最良の実施形態について、図面を参照して詳細に説明する。図１は、本考案に係るフォルダーＦの平面図、図２は、フォルダーＦの他の実施例を示す平面図、図３は、切込線の寸法等を説明する一部拡大正面図、図４は、レールフォルダーＲＦの見開き状態の平面図、図５は、市販製品の平面図である。【００１８】  図１〜図３に示す、本考案に係るフォルダーＦは、軟質合成樹脂材、例えばポリプロピレン等を素材とする１枚のシートの中央部を折り曲げ、長方形の表面シート１及び裏面シート２を形成し、表面シート１の折曲部３に隣接する下辺と裏面シート２の折曲部３に隣接する下辺とは、熱溶着又は高周波溶着等で溶着部４が形成され閉塞されている。また表面シート１の折曲部３に隣接する上辺と裏面シート２の折曲部３に隣接する上辺、さらに折曲部３に対向する表面シート１と裏面シート２の側辺は、溶着されないで開放部５及び開放部６が形成されている。各種の書面等は、上辺又は側辺の開放部５、６から挿入され、表面シート１と裏面シート２間に挟持される。【００１９】  図１及び図３における、１ａ、１ｂ及び１ｃは、表面シート１の下方部に形成された切込線で、一般的な名刺の標準サイズである、短辺５５ｍｍ×長辺９１ｍｍと略同寸の横書き名刺又は名刺判サイズの診察券、ＩＤカード類（以下、カードＮという）の三辺Ｎａ、Ｎｂ及びＮｃを挟着するために設けられている。切込線１ａと切込線１ｂは、中心線Ｃ−Ｃを境目として、同寸巾の部位に同寸長さとした上下平行の直線と、該直線の一端から対称的に、上方の直線である切込線１ａには、上向きの円形曲線１ｄ、下方の直線である切込線１ｂには下向きの円形曲線１ｅがそれぞれ延設され、また切込線１ｃは、切込線１ａと切込線１ｂと対向し、中心線Ｃ−Ｃを跨いで半円形状に形成されている。カードＮの長辺部Ｎａは、切込線１ａと円形曲線１ｄ内に挟着され、長辺部Ｎｂは、切込線１ｂと円形曲線１ｅ内に挟着され、カードＮの一方の短辺部Ｎｃは、切込線１ｃ内に挟着される。１ｈは各切込線１ａ、１ｄ、１ｂ、１ｅ及び１ｃの終端部に穿設された、ストッパー兼切れ止め用抜穴で、その直径は、約１．５ｍｍ〜２ｍｍとしている。１ｆは指掛け穴である。【００２０】  図３に示すＤ１は、切込線１ａと切込線１ｂ間の巾寸法で、約２４．５ｍｍ〜２５．５ｍｍで、円形曲線１ｄと１ｅ間の最大巾寸法Ｄ２は、約５４．５ｍｍ〜５５．５ｍｍで、半円形状の切込線１ｃは、その半径寸法を、約１２ｍｍ〜１３ｍｍとしている。【００２１】  図２は本考案における、フォルダーＦの他の実施態様を示し、１０はフォルダーＦを構成する表面シート、２０は裏面シート、３０は折曲部、４０は溶着部で、５０は上辺の開放部、６０は側辺の開放部である。図示するように、短辺５５ｍｍ×長辺９１ｍｍの名刺標準サイズと略同寸の縦書きカードＮを挟着するために、切込線１０ａと切込線１０ｂを、中心線Ｃ−Ｃを境目として、同寸巾で左右部位に同寸長さとした直線と対称的な円形曲線１０ｄと１０ｅを形成し、カードＮの長辺部ＮａとＮｂを挟着して固定する。また半円形状の切込線１０ｃは、切込線１０ａと切込線１０���に対向し、かつ上方に中心線Ｃ−Ｃを跨いで形成され、カードＮの一方の短辺部Ｎｃを挟着する。なお、各切込線１ａ〜１ｃ、１０ａ〜１０Ｃ等の形成部位は、図１及び図２に示す部位に限定されない。【００２２】  図４は、ポリプロピレン等からなる１枚のシートを折り曲げ、長方形の表面シート２１と裏面シート２２からなり、折曲部２３をレールＲで背面から挟持する、いわゆるレールフォルダーＲＦの表面シート２１のおける左側下方に、切込線２１ａ、切込線２１ｂ及び切込線２１ｃを形成したものを例示した、横書きカードＮ用であり、裏面シート２２の右側下方には、切込線２２ａ、切込線２２ｂ及び切込線２２ｃを形成した、縦書きカードＮ用を例示している。なお、レールフォルダーＲＦにおいて、例えば表面シート２１のみに、切込線２１ａ、切込線２１ｂ及び切込線２１ｃを形成し、あるいは、裏面シート２２のみに切込線２２ａ、切込線２２ｂ及び切込線２２ｃを形成してもよい。さらに縦書きカードＮ用とするか、横書きカードＮ用とするかは、適宜選択される。また、各切込線２１ａ〜２１ｃ、２２ａ〜２２Ｃ等は、図４に示す部位に限定されない。【００２３】  つぎに、本考案に係るフォルダーＦの使用態様について説明する。例えば図１において、横書きカードＮをフォルダーＦに挟着するには、左手で該フォルダーＦの折曲部３近傍を保持し、右手の指先でカードＮの一方の短辺部Ｎｃを把持し、他方の短辺部Ｎｄを切込線１ａと切込線１ｂの円形曲線部１ｄと１ｅに当接した後、カードＮの短辺部Ｎｄの両隅部を円形曲線部１ｄと１ｅ内に滑り込ませるように挿入し、切込線１ａと切込線１ｂに平行するように短辺部Ｎｄを、ストッパー兼切れ止め用抜穴まで押し込み、一方の短辺部Ｎｃを半円形状の切込線１ｃで上方から被覆するように挟着して固定する。【００２４】  また、図２の縦書きカードＮをフォルダーＦに挟着するには、左手で該フォルダーＦの折曲部３０近傍を保持し、右手の指先でカードＮの一方の短辺部Ｎｃを把持し、他方の短辺部Ｎｄを切込線１０ａと切込線１０ｂの円形曲線部１０ｄと１０ｅに当接した後、カードＮの短辺部Ｎｄの両隅部を円形曲線部１０ｄと１０ｅ内に滑り込ませるように挿入し、切込線１０ａと切込線１０ｂに平行するように短辺部Ｎｄを、ストッパー兼切れ止め用抜穴まで押し込み、一方の短辺部Ｎｃを半円形状の切込線１０ｃで上方から被覆するように挟着して固定する。【００２５】  カードＮをフォルダーＦから取り外すには、左手で該フォルダーＦの折曲部３を保持し、カードＮの一方の短辺部Ｎｃを右手の指先で上方に押し上げると、切込線１ｃは簡単に開放されるので、右手の指先で短辺部Ｎｃを把持し、側辺方向に引き出せば、カードＮはフォルダーＦから容易に取り外すことができる。
【図面の簡単な説明】
【００２６】
【図１】は、本考案に係る、フォルダーＦの平面図である。
【図２】は、フォルダーＦの他の実施例を示す平面図である。
【図３】は、切込線の寸法等を説明する一部拡大正面図である。
【図４】は、レールフォルダーＲＦの見開き状態の平面図である。
【図５】は、市販製品の平面図である。
【符号の説明】
【００２７】Ｆ                              フォルダー
ＲＦ                            レールフォルダー
Ｎ                              カード
Ｎａ、Ｎｂ                      長辺部
Ｎｃ、Ｎｄ                      短辺部
Ｃ−Ｃ                          中心線
Ｄ１                            切込線１ａと切込線１ｂの巾寸法
Ｄ２                            円形曲線１ｄと１ｅ間の最大巾寸法
１、１０                        表面シート
２、２０                        裏面シート
１ａ、１ｂ、１ｃ                切込線
１ｄ、１ｅ                      円形曲線
１ｈ                            ストッパー兼切れ止め用抜穴
３、３０                        折曲部
４、４０                        溶着部
５、５０                        開放部
６、６０                        開放部
１０ａ、１０ｂ、１０ｃ          切込線
１０ｄ、１０ｅ                  円形曲線部
１０ｈ                          ストッパー兼切れ止め用抜穴
【図１】
0003126747.tif 000003
【図２】
0003126747.tif 000004
【図３】
0003126747.tif 000005
【図４】
0003126747.tif 000006
【図５】
0003126747.tif 000007